(57)【要約】      （修正有）【課題】汚染された土砂をコンクリートやモルタルに混合するために、適度な粒度に固化することができる撹拌装置を提供する。【解決手段】固化剤Ｑと土砂Ｐとが合流する位置に固化剤混合機５０を装着する。固化剤混合機５０に平面中央部が開口した枠体を設ける。この枠体の中央内部に回転羽根を回転自在に設置する。回転羽根を、土砂搬送フィダー１０の搬送スクリュー１１の先端に連結する。搬送スクリュー１１の回転と共に回転羽根が回転するように構成する。【選択図】図１
0003189410.tif 000002
【実用新案登録請求の範囲】
【請求項１】
集積した土砂を移動せしめる土砂搬送フィダーと、固化剤を収納する添加剤タンクと、添加剤タンクから固化剤の量を計測して排出する添加剤連続計量フィダーと、固化剤を混合した土砂を一定の粒状サイズに固化せしめる連続混合ミキサーとを備えた撹拌装置において、前記添加剤タンクから排出される固化剤と、前記土砂搬送フィダーから排出される土砂とが合流する位置に固化剤混合機が装着され、該固化剤混合機は、前記土砂搬送フィダーの土砂排出口に装着され平面中央部が開口した枠体と、該枠体の中央内部に回転自在に設置される回転羽根とを備え、該回転羽根は、土砂搬送フィダーの螺旋状を成した搬送スクリューの先端に連結され、該搬送スクリューの回転と共に回転羽根が回転するように構成したことを特徴とする撹拌装置。
【請求項２】
前記固化剤混合機において、前記枠体の内側に間隔を開けて重なるように固定枠を設けると共に、該固定枠と前記搬送スクリューの先端との間に、前記搬送スクリューに連動する回転軸が設けられ、該回転軸に前記回転羽根を装着した請求項１記載の撹拌装置。
【請求項３】
前記回転羽根は、前記回転軸の先端側に装着された主回転羽根と、前記回転軸の前記搬送スクリュー側に装着された副回転羽根と、主回転羽根の先端側に装着されて土砂の移動を阻止する制御板とで構成された請求項２記載の撹拌装置。
【請求項４】
前記連続混合ミキサーは、該連続混合ミキサーの軸心部で回転せしめる回転軸の周囲に装着された高速回転羽根と、高速回転羽根の周囲に間隔を開けて設けられ高速回転羽根に対して逆回転し帯板が螺旋状に形成された複数条の送り羽根とを備え、高速回転羽根は、回転軸の周囲に四方向から八方向に向けた放射状に設置され、送り羽根は、螺旋状に形成された鋼板の板面に円弧状に形成された耐摩耗鋼板を張り合わせて構成された請求項１記載の撹拌装置。
【考案の詳細な説明】
【技術分野】
【０００１】
本考案は、特にセシウムなどで汚染された土砂に固化剤を添加して所定サイズの粒状に固める際に、土砂と固化剤との混合を均一化する撹拌装置に関する。
【背景技術】
【０００２】
一般に、工事に伴って排出された廃土は、固化・再生した盛土材や、土壌改良剤を混入した埋め戻し材、あるいは中間処理施設により製品化するなどして再利用されている。例えば、下水管として一般的に用いられているヒューム管を交換する場合には、ヒューム管周囲の土壌を除去してヒューム管を交換し、その後再び土壌を埋め戻してヒューム管を埋設する。
【０００３】
水分を含んだ泥状のものは、例えば特許文献１に記載されている移動型汚泥脱水車により、水分や油分などを脱水してから最終処理されている。
【０００４】
一方、放射能で汚染された土砂の後処理が社会問題になっている。この汚染された土砂は、従来のように埋戻しに再利用できないので、所定サイズの粒度に固めた後、更に、コンクリートやモルタルに固化した状態で処理されているのが現状である。
【先行技術文献】
【特許文献】
【０００５】
【特許文献１】特開平１１−３００４００号公報
【考案の概要】
【考案が解決しようとする課題】
【０００６】
ところが、汚染された土砂をコンクリートやモルタルに混合するには、土砂を適度な粒状に固める必要がある。しかも、採集場所によって汚染された土砂の硬度や粒度は異なっているため、これらの土砂を一定の粒度に固めることが困難になっていた。
【０００７】
例えば、浄水場近くの土砂は、飲料水に直接関係のある土砂であるから、特に早急な対応が必要になっているが、この土砂には砂や水分を含んだ土などが混在しているので、一定サイズの粒に固めることが困難になっている。
【０００８】
そこで、従来では、土砂に適した固化剤を土砂に混合し、土砂を一定の粒度に固める手段も試みられている。ところが、土砂に対して固化剤の量が極めて少ないため、この固化剤を土砂に均一に混合することが困難になっていた。
【０００９】
そこで、本考案は上述の課題を解消すべく創出されたもので、汚染された土砂をコンクリートやモルタルに混合するために、固化剤を土砂に均一に混合して適度な粒度に固化することができる撹拌装置の提供を目的とするものである。
【課題を解決するための手段】
【００１０】
上述の目的を達成すべく本考案における第１の手段は、集積した土砂Ｐを移動せしめる土砂搬送フィダー１０と、固化剤Ｑを収納する添加剤タンク３０と、添加剤タンク３０から固化剤Ｑの量を計測して排出する添加剤連続計量フィダー４０と、固化剤Ｑを混合した土砂Ｐを一定の粒状サイズに固化せしめる連続混合ミキサー２０とを備えた撹拌装置において、
前記添加剤タンク３０から排出される固化剤Ｑと、前記土砂搬送フィダー１０から排出される土砂Ｐとが合流する位置に固化剤混合機５０が装着され、
該固化剤混合機５０は、前記土砂搬送フィダー１０の排出口に装着され平面中央部が開口した枠体５２と、該枠体５２の中央内部に回転自在に設置される回転羽根５１とを備え、該回転羽根５１は、土砂搬送フィダー１０の螺旋状を成した搬送スクリュー１１の先端に連結され、該搬送スクリュー１１の回転と共に回転羽根５１が回転するように構成したことにある。
【００１１】
第２の手段は、前記固化剤混合機５０において、前記枠体５２の内側に間隔を開けて重なるように固定枠５３を設けると共に、該固定枠５３と前記搬送スクリュー１１の先端との間に、前記搬送スクリュー１１に連動する回転軸５４が設けられ、該回転軸５４に前記回転羽根５１を装着したものである。
【００１２】
第３の手段において、前記回転羽根５１は、前記回転軸５４の先端側に装着された主回転羽根５１Ａと、前記回転軸５４の前記搬送スクリュー１１側に装着された副回転羽根５１Ｂと、主回転羽根５１Ａの先端側に装着されて土砂Ｐの移動を阻止する制御板５１Ｃとで構成されている。
【００１３】
第４の手段において、前記連続混合ミキサー２０は、該連続混合ミキサー２０の軸心部で回転せしめる回転軸２１の周囲に装着された高速回転羽根２２と、高速回転羽根２２の周囲に間隔を開けて設けられ高速回転羽根２２に対して逆回転し帯板が螺旋状に形成された複数条の送り羽根２３とを備え、
高速回転羽根２２は、回転軸２１の周囲に四方向から八方向に向けた放射状に設置され、送り羽根２３は、螺旋状に形成された鋼板２３Ａの板面に円弧状に形成された耐摩耗鋼板２３Ｂを張り合わせて構成されたものである。
【考案の効果】
【００１４】
本考案の請求項１によると、土砂搬送フィダー１０の螺旋状を成した搬送スクリュー１１の先端に回転羽根５１を連結し、該搬送スクリュー１１の回転と共に回転羽根５１が回転するように構成した固化剤混合機５０を、添加剤タンク３０から排出される固化剤Ｑと、土砂搬送フィダー１０から排出される土砂Ｐとが合流する位置に装着したことにより、撹拌前の土砂Ｐに対して固化剤Ｑを均一に混ぜ合わせることができるものである。
【００１５】
請求項２のごとく、固化剤混合機５０において、枠体５２の内側に固定枠５３を設けると共に、該固定枠５３と搬送スクリュー１１の先端との間に回転軸５４が設けられ、該回転軸５４に回転羽根５１を装着したことで、土砂搬送フィダー１０の先端から順次排出される土砂Ｐに対して上から固化剤Ｑを振り掛けるように混ぜ合わせることができる。
【００１６】
請求項３のように、回転羽根５１は、回転軸５４の固定枠５３中央に装着された主回転羽根５１Ａと、回転軸５４の搬送スクリュー１１側に装着された副回転羽根５１Ｂと、主回転羽根５１Ａの先端側に装着されて土砂Ｐの移動を阻止する制御板５１Ｃとで構成されているので、土砂搬送フィダー１０から排出される土砂Ｐは、制御板５１Ｃにて前進が阻止された状態になる。このとき、副回転羽根５１Ｂは土砂搬送フィダー１０から送られる土砂Ｐを細かく切断し、主回転羽根５１Ａによってこの土砂Ｐを副回転羽根５１Ｂ方向に押し返すように固化剤Ｑと混ぜ合わせるものである。このように、これら主回転羽根５１Ａと副回転羽根５１Ｂとの２箇所の回転により、土砂搬送フィダー１０から排出される土砂Ｐを細かくした状態で固化剤Ｑを混ぜ合わせることができる。
【００１７】
請求項４のように連続混合ミキサー２０は、高速回転羽根２２と、高速回転羽根２２の周囲に間隔を開けて設けられ高速回転羽根２２に対して逆回転し帯板が螺旋状に形成された複数条の送り羽根２３とを備え、高速回転羽根２２は、回転軸２１の周囲に四方向から八方向に向けた放射状に設置されているので、砂や水分を含んだ土などが混在している土砂Ｐでも迅速に粒子化することが可能である。すなわち、高速回転羽根２２は、土砂Ｐを打ち砕く部材である。この高速回転羽根２２を高速で回転させると、送り羽根２３によって水平移動させながら土砂Ｐを持ち上げて落下させる作用が生じる。そして、この作用により、土砂Ｐを所定サイズの粒状に成形することが可能になる。この結果、浄水場近くの土砂Ｐや、汚染水を蓄えたタンク周辺の土砂Ｐのような緊急を要する土砂Ｐについても処理が容易になるものである。
【００１８】
また、送り羽根２３は、螺旋状に形成された鋼板２３Ａの板面に円弧状に形成された耐摩耗鋼板２３Ｂを張り合わせて構成されたものなので、送り羽根２３の耐久性能を高め、連続混合ミキサー２０による長時間の連続運転を可能にしている。
【図面の簡単な説明】
【００１９】
【図１】本考案の基本構成を示す概略説明図である。
【図２】本考案の固化剤混合機の一実施例を示す平面図である。
【図３】本考案の固化剤混合機の一実施例を示す側面図である。
【図４】本考案の固化剤混合機の一実施例を示す正面図である。
【図５】本考案の連続混合ミキサーの一実施例を示す切欠側面図である。
【図６】本考案の高速回転羽根の一実施例を示す正面図である。
【図７】本考案の送り羽根の一実施例を示す正面図である。
【図８】本考案の送り羽根の一実施例を示す要部斜視図である。
【図９】本考案の連続混合ミキサーの他の実施例を示す切欠側面図である。
【図１０】本考案の高速回転羽根の他の実施例を示す正面図である。
【図１１】本考案の添加剤タンクの内部を示す平面図である。
【考案を実施するための形態】
【００２０】
本考案によると、セシウム等に汚染された土砂をコンクリートやモルタルに混合するために、適度な粒度に固化することができるなどといった当初の目的を達成した。
【実施例】
【００２１】
以下、本考案の実施例を説明する。図１は、本考案の基本構成を説明するための概略図である。本考案の基本構成は、土砂搬送フィダー１０と、連続混合ミキサー２０と添加剤タンク３０と添加剤連続計量フィダー４０と固化剤混合機５０とを備えている。集積した土砂Ｐは、ホッパー１１を介して土砂搬送フィダー１０に投入される(図１参照)。この土砂Ｐは、土砂搬送フィダー１０にて移動され、連続混合ミキサー２０内に投入される。
【００２２】
固化剤混合機５０は、添加剤タンク３０から排出される固化剤Ｑと、土砂搬送フィダー１０から排出される土砂Ｐとが合流する位置に配置するもので、土砂搬送フィダー１０の排出口に装着されている（図２参照）。すなわち、土砂搬送フィダー１０の排出口に、平面中央部が開口した枠体５２を装着する。更に、この枠体５２の中央内部に回転羽根５１を回転自在に設置している。この回転羽根５１は、土砂搬送フィダー１０の搬送スクリュー１１の先端に連結されており、この搬送スクリュー１１の回転と共に回転羽根５１が回転するように構成したものである。
【００２３】
図示の固化剤混合機５０は、枠体５２の内側に重なるように固定枠５３が設けられている（図２参照）。更に、この固定枠５３と搬送スクリュー１１の先端との間に回転軸５４を設け、この回転軸５４に回転羽根５１を装着したものである（図３参照）。更に、この回転羽根５１は、回転軸５４の先端側に装着された主回転羽根５１Ａと、回転軸５４の搬送スクリュー１１側に装着された副回転羽根５１Ｂと、主回転羽根５１Ａの先端側に装着されて土砂Ｐの移動を阻止する制御板５１Ｃとで構成されている（図２参照）。
【００２４】
土砂搬送フィダー１０から排出される土砂Ｐは、まず、副回転羽根５１Ｂで切断されて砕かれる。次に、砕かれた状態で押し出された土砂Ｐは主回転羽根５１Ａにて副回転羽根５１Ｂ方向に押し戻される状態になる。このとき土砂Ｐに振り掛けた固化剤Ｑが混ざり合うものである。制御板５１Ｃは、主回転羽根５１Ａより先に土砂Ｐが進まないように土砂Ｐの前進を阻止する（図４参照）。図示例では、主回転羽根５１Ａ及び副回転羽根５１Ｂのいずれも４枚の板状を成している（図２参照）。これら主回転羽根５１Ａ及び副回転羽根５１Ｂの枚数や形状は任意に変更できるものである。
【００２５】
連続混合ミキサー２０は、固化剤混合機５０を介して投入された土砂Ｐと固化剤Ｑとを混練するように構成している（図１参照）。この連続混合ミキサー２０は、樋状体２４の内部に、回転軸２１に装着する高速回転羽根２２と、高速回転羽根２２を囲むように装着する送り羽根２３とが備えられている(図５参照)。この回転軸２１は、回転軸駆動モーター２７で回転するものである（図１参照）。
【００２６】
高速回転羽根２２は、土砂Ｐを打ち砕く部材である（図６参照）。この高速回転羽根２２を高速で回転させると、送り羽根２３によって水平移動させた土砂Ｐを持ち上げて落下させる作用が生じる。そして、この作用により、土砂Ｐを所定サイズの粒状に成形することが可能になる。この結果、連続混合ミキサー２０内の土砂Ｐを強力に撹拌し粉砕することができる。
【００２７】
図示の高速回転羽根２２は、回転軸２１の周囲に四方向に向けた放射状に設けたものや（図５、６参照）、八方向に向けた放射状に設けたものを示している（図９、１０参照）。この高速回転羽根２２の数は、この他六方向に向けたものでもよく、回転軸２１の周囲に四方向から八方向に向けた放射状に設置されるものである。また、この高速回転羽根２２の形状は図示例の他、直線的な板状や棒状など、任意の形状に変更することも可能である。
【００２８】
一方、送り羽根２３は、高速回転羽根２２に対して逆回転するように構成されている（図５参照）。この送り羽根２３により、撹拌された土砂Ｐが排出方向に順次送られるものである。図示例では、二条の送り羽根２３を設けているが、この送り羽根２３の数は任意に変更することができる。この送り羽根２３は回転軸２１の長手両端部の位置に配置された結合リング２５に装着したものである（図７参照）。そして、この結合リング２５を結合リング駆動モーター２６にて回転させることで、高速回転羽根２２に対して逆回転させるように構成している（図１参照）。
【００２９】
この送り羽根２３は、螺旋状に形成された鋼板２３Ａの板面に円弧状に形成された耐摩耗鋼板２３Ｂを張り合わせて構成したものである（図８参照）。図示の耐摩耗鋼板２３Ｂはビス止めしているが、耐摩耗鋼板２３Ｂの固定手段は任意に選択できる。
【００３０】
一方、土砂Ｐに混合する固化剤Ｑは、添加剤タンク３０に貯蔵されている（図１参照）。この固化剤Ｑは、添加剤タンク３０から排出する固化剤Ｑの量を添加剤連続計量フィダー４０が計測して排出する。
【００３１】
添加剤タンク３０の内部には螺旋状の移動羽根３１が設置されており、この移動羽根３１を回転させることで、添加剤タンク３０内の固化剤Ｑを排出口３２から排出する（図１１参照）。更に、この排出口３２から排出される固化剤Ｑの量を添加剤連続計量フィダー４０で細かく計測して連続混合ミキサー２０に投入する（図１参照）。
【００３２】
固化剤Ｑの量を計測する添加剤連続計量フィダー４０は、添加剤タンク３０の下に配置され、添加剤タンク３０から落下する固化剤Ｑを連続供給する螺旋状の計量スクリュー４１を備えている(図１１参照)。そして、この計量スクリュー４１で押し出した固化剤Ｑを、固化剤混合機５０を介して連続混合ミキサー２０内に投入する（図１参照）。尚、固化剤Ｑは、土砂Ｐの状態や目的に応じて、例えば、セメント、石灰系固化剤、水溶性高分子、凝集剤等、種類や量が調整される。一定の粒度に固化された土砂Ｐは、セメントやコンクリートなどと混合することで、建築材、路盤材料、埋立土材、土壌改良資材等の材料として有効利用されるものである。
【００３３】
尚、本考案の各構成は図示例に限定されるものではなく、本考案の要旨を変更しない範囲で任意に構成を変更することが可能であり、例えば、本考案を車両に搭載することも可能である。
【符号の説明】
【００３４】
Ｐ  土砂
Ｑ  固化剤
１０  土砂搬送フィダー
１１  ホッパー
２０  連続混合ミキサー
２１  回転軸
２２  高速回転羽根
２３  送り羽根
２４  樋状体
２５  結合リング
２６  結合リング駆動モーター
２７  回転軸駆動モーター
３０  添加剤タンク
３１  移動羽根
３２  排出口
４０  添加剤連続計量フィダー
４１  計量スクリュー
５０  固化剤混合機
５１  回転羽根
５２  枠体
５３  固定枠
５４  回転軸
６０  土砂撹拌ミキサー
６１  容器体
６１Ａ  排出口
６２  回転軸
６２Ａ  連結軸
６３  撹拌用羽根
６４  押出し具
６５  回転軸駆動モーター
【図１】
0003189410.tif 000003
【図２】
0003189410.tif 000004
【図３】
0003189410.tif 000005
【図４】
0003189410.tif 000006
【図５】
0003189410.tif 000007
【図６】
0003189410.tif 000008
【図７】
0003189410.tif 000009
【図８】
0003189410.tif 000010
【図９】
0003189410.tif 000011
【図１０】
0003189410.tif 000012
【図１１】
0003189410.tif 000013
【手続補正書】
【提出日】平成26年1月8日(2014.1.8)
【手続補正１】
【補正対象書類名】図面
【補正対象項目名】図１
【補正方法】変更
【補正の内容】
【図１】
0003189410.tif 000014